(57)【特許請求の範囲】
【請求項１】
冷凍サイクルを構成する圧縮機、凝縮器、蒸発器に、送風機を備えた冷房装置と、便器洗浄水を溜めるロータンクとをケース内に収め、前記蒸発器と前記送風機からなる冷風発生部によってつくり出された冷風を、前記ケースに設けた吹出口よりトイレ室内に向けて吹出すために、前記冷風発生部の冷風出口である冷風吐出部と前記吹出口とを風路により連通し、前記風路の一部が前記吹出口および前記冷風吐出部より高い位置になるように形成した冷房装置付きトイレ装置。
【請求項２】
冷凍サイクルを構成する圧縮機、凝縮器、蒸発器に、送風機を備えた冷房装置と、便器洗浄水を溜めるロータンクとをケース内に収め、前記蒸発器と前記送風機からなる冷風発生部によってつくり出された冷風を、前記ケースに設けた吹出口よりトイレ室内に向けて吹出すために、前記冷風発生部の冷風出口である冷風吐出部と前記吹出口とを風路により連通し、前記風路の一部が前記吹出口および前記冷風吐出部より低い位置になるように形成した冷房装置付きトイレ装置。
【請求項３】
風路の最も低い位置に孔を設けた請求項２に記載の冷房装置付きトイレ装置。
【請求項４】
風路に溜まった水を排出する、水排出手段を設けた請求項２に記載の冷房装置付きトイレ装置。
【発明の詳細な説明】
【０００１】
【発明の属する技術分野】
本発明は、トイレ装置に関し、特に冷房機能を備えたトイレ装置に関するものである。
【０００２】
【従来の技術】
部屋内を冷房する装置としては、従来からエアコンが用いられている。特に設置が容易な床置型エアコンにおいては、図９に示すように、吹出口１の近傍に設けた蒸発器２にファン３からの風を通して冷風を得るものである。
【０００３】
一方、トイレ部屋内を冷房する装置としては、特許１８００１２７号公報に記載されているトイレ用冷房装置がある。これは図１０に示すように、トイレ室内に向って空気を送るための空気通路４と空気通路４に空気流を生じさせる送風機５と空気を冷却する冷房手段である蒸発器２とを備えたものである。
【０００４】
【発明が解決しようとする課題】
しかしながら、前記従来のエアコンやトイレ用冷房装置では、室内に向けて開口した吹出口の内方や吹出口の下方に蒸発器や送風機といった内装部品が配置されているが、水を扱うことの多いトイレ部屋内で使用した場合、吹出口から水が浸入し、蒸発器や送風機といった内装部品に水がかかってしまい、性能を損なうという課題を有していた。特に電気部品や制御基板といった内装部品に水がかかると、最悪の場合は故障するという課題も有していた。さらに、近年では洋式便器が普及しており、便器後方のロータンク上に手洗用蛇口を設けることが多いため、手洗時のはね水が容易に吹出口から内方に浸入してしまう悪条件にある。そこで、水の浸入を防止するために、吹出口をカバーで覆う方法や、ひさしを設けるといったことも考えられるが、この場合は冷風吹出し方向が制約されるという課題を有していた。
【０００５】
【課題を解決するための手段】
前記従来の課題を解決するために、蒸発器と送風機の冷風出口である冷風吐出部とケースに設けた吹出口を結ぶ風路を、内部への水の浸入を防ぐ構造にしたものである。
【０００６】
上記発明によれば、吹出口より侵入した水は風路構造により内装部品にまで到達しないため、内装部品を保護することができる。
【０００７】
【発明の実施の形態】
請求項１に記載の発明は、冷凍サイクルを構成する圧縮機、凝縮器、蒸発器に、送風機を備えた冷房装置と、便器洗浄水を溜めるロータンクとをケース内に収め、蒸発器と送風機からなる冷風発生部によってつくり出された冷風を、ケースに設けた吹出口よりトイレ室内に向けて吹出すために、冷風発生部の冷風出口である冷風吐出部と吹出口とを風路により連通し、風路の一部が吹出口および冷風吐出部より高い位置になるように形成したものである。そして、冷風吐出部と吹出口とを連通した風路の途上が一旦高い位置を有するため、吹出口から入った水が、直接、冷風吐出部や蒸発器や送風機にかかることを防ぐことができる。
【０００８】
請求項２に記載の発明は、冷凍サイクルを構成する圧縮機、凝縮器、蒸発器に、送風機を備えた冷房装置と、便器洗浄水を溜めるロータンクとをケース内に収め、蒸発器と送風機からなる冷風発生部によってつくり出された冷風を、ケースに設けた吹出口よりトイレ室内に向けて吹出すために、冷風発生部の冷風出口である冷風吐出部と吹出口とを風路により連通し、風路の一部が吹出口および冷風吐出部より低い位置になるように形成したものである。そして、冷風吐出部と吹出口とを連通した風路が谷型に一旦低い位置を有するため、吹出口から入った水は風路の谷部に溜まり、水が冷風吐出部や蒸発器や送風機にかかることを防ぐことができる。
【０００９】
請求項３に記載の発明は、風路の最も低い位置に孔を設けたものである。そして、冷風吐出部と吹出口とを連通した風路の谷部に溜まった水は孔から落ちて排出されるため、水が溜まりすぎて冷風吐出部や蒸発器や送風機に侵入することを防ぐことができる。
【００１０】
請求項４に記載の発明は、風路に溜まった水を排出する、水排出手段を設けたものである。そして、冷風吐出部と吹出口とを連通した風路の谷部に溜まった水を排出することにより、水が溜まりすぎて冷風吐出部や蒸発器や送風機に侵入することを防ぐことができる。
【００１１】
【実施例】
以下、本発明の実施例について図面を用いて説明する。
【００１２】
（実施例１）
図１は本発明の実施例１の冷房装置付きトイレ装置を示した一部透視の概略構成図で、図２は本発明の実施例１の冷房装置付きトイレ装置の細部を示した概略平面図および概略側面図である。
【００１３】
図１において、６はケースで、その中に、便器洗浄を行うための洗浄水を貯水するロータンク７と、冷房装置として圧縮機８、凝縮器９、減圧手段１０、蒸発器２、送風機５が内蔵されている。ケース６には吹出口１が開口している。１１は便器である。図２において、１２は蒸発器２と送風機５とからなる冷風発生部で、１３は冷風発生部１２によってつくり出された冷風が出て来る冷風吐出部である。冷風吐出部１３とケース６に設けた吹出口１とは略垂直に配設され、風路１４によって連通されている。１５は便座である。なお図２においては、ロータンク７および冷房装置を構成する圧縮機８等は図示を省略している。
【００１４】
次に動作、作用について説明する。圧縮機８によって圧縮された冷媒は高温高圧の気体となり、凝縮器９に送り込まれる。凝縮器９では冷媒はロータンク７に満たされた水に凝縮熱を放熱して高圧のまま凝縮し液体となる。その後、冷媒は減圧手段１０によって減圧され、蒸発器２によって蒸発気化する。この時、蒸発器２には送風機５によって風が通り、風は気化熱により冷やされた後に冷風吐出部１３から出て、風路１４を通り、吹出口１から吹き出る。蒸発気化した冷媒は再び圧縮機８に戻って圧縮され、これを繰り返して冷凍サイクルが形成される。この様にして、トイレ装置から冷風を出し、冷房を行うことができる。この時、凝縮器９で発生する凝縮熱はロータンク７内の水に放熱されるため、ルームエアコンの室外機のような熱気を出すこともなく、また、冷風発生と凝縮熱の放熱がトイレ装置のケース内に収まり、コンパクトな冷房装置付きトイレ装置を構成することができる。
【００１５】
ここで、冷風吐出部１３と吹出口１は略垂直に配設されているため、吹出口１から水が侵入しても、冷風吐出部１３や蒸発器２や送風機５に水が直撃することはなく、冷房装置の性能低下を防ぐことができる。また、水は冷風発生部１２まで侵入しないので、冷風発生部１２よりも内方にある電気部品や制御基板といった内装部品に水がかかることはなく、水による故障を防ぐこともできる。
【００１６】
（実施例２）
図３は本発明の実施例２の冷房装置付きトイレ装置の細部を示した概略平面図および概略側面図である。なお、冷房装置を構成している冷凍サイクルおよび冷風を発生する構成や方法については実施例１に記載の通りであるため説明を省略する。
【００１７】
図３において、１２は蒸発器２と送風機５とからなる冷風発生部で、１３は冷風発生部１２によってつくり出された冷風が出て来る冷風吐出部である。冷風吐出部１３とケース６に設けた吹出口１とを連通する風路１４には少なくとも一ヶ所の曲部１６を設けている。
【００１８】
次に動作、作用について説明する。冷風吐出部１３と吹出口１とを連通する風路１４に少なくとも一ヶ所の曲部が設けられているため、吹出口１から水が侵入しても、冷風吐出部１３や蒸発器２や送風機５に水が直撃することはなく、冷房装置の性能低下を防ぐことができる。また、水は冷風発生部１２まで侵入しないので、冷風発生部１２よりも内方にある電気部品や制御基板といった内装部品に水がかかることはなく、水による故障を防ぐこともできる。なお、曲部１６は図に示したように１ヶ所だけ設けると風路１４の通気抵抗の増加を最小限にでき、小さな送風機で必要風量を確保することができる点で好ましいが、内装部品が複雑に入り組んでいる場合は、内装部品の隙間をぬって複数ヶ所の曲部１６を設けて構成すると良い。
【００１９】
（実施例３）
図４は本発明の実施例３の冷房装置付きトイレ装置の細部を示した概略平面図および概略側面図である。なお、冷房装置を構成している冷凍サイクルおよび冷風を発生する構成や方法については実施例１に記載の通りであるため説明を省略する。
【００２０】
図４において、１２は蒸発器２と送風機５とからなる冷風発生部で、１３は冷風発生部１２によってつくり出された冷風が出て来る冷風吐出部である。冷風吐出部１３は吹出口１より高い位置に配設され、冷風吐出部１３と吹出口１とは風路１４により連通されている。
【００２１】
次に動作、作用について説明する。冷風吐出部１３を吹出口１より高い位置に配設しているため、吹出口１から水が侵入しても、冷風吐出部１３や蒸発器２や送風機５に水が直撃することはなく、冷房装置の性能低下を防ぐことができる。また、水は冷風発生部１２まで侵入しないので、冷風発生部１２よりも内方にある電気部品や制御基板といった内装部品に水がかかることはなく、水による故障を防ぐこともできる。
【００２２】
（実施例４）
図５は本発明の実施例４の冷房装置付きトイレ装置の細部を示した概略平面図および概略側面図である。なお、冷房装置を構成している冷凍サイクルおよび冷風を発生する構成や方法については実施例１に記載の通りであるため説明を省略する。
【００２３】
図５において、１２は蒸発器２と送風機５とからなる冷風発生部で、１３は冷風発生部１２によってつくり出された冷風が出て来る冷風吐出部である。冷風吐出部１３とケース６に設けた吹出口１とを連通する風路１４は、その一部が吹出口１および冷風吐出部１３より高い位置になるように形成されている。
【００２４】
次に動作、作用について説明する。冷風吐出部１３と吹出口１とを連通する風路１４は、その一部が吹出口１および冷風吐出部１３より高い位置になるように形成されているため、吹出口１から水が侵入しても、冷風吐出部１３や蒸発器２や送風機５に水が直撃することはなく、冷房装置の性能低下を防ぐことができる。また、水は冷風発生部１２まで侵入しないので、冷風発生部１２よりも内方にある電気部品や制御基板といった内装部品に水がかかることはなく、水による故障を防ぐこともできる。
【００２５】
（実施例５）
図６は本発明の実施例５の冷房装置付きトイレ装置の細部を示した概略平面図および概略側面図で、図７（ａ）および（ｂ）は本発明の実施例５の冷房装置付きトイレ装置の風路部を示した概略平面図および概略側面図である。なお、冷房装置を構成している冷凍サイクルおよび冷風を発生する構成や方法については実施例１に記載の通りであるため説明を省略する。
【００２６】
図６において、１２は蒸発器２と送風機５とからなる冷風発生部で、１３は冷風発生部１２によってつくり出された冷風が出て来る冷風吐出部である。冷風吐出部１３とケース６に設けた吹出口１とを連通する風路１４は、その一部が吹出口１および冷風吐出部１３より低い位置になるように形成されている。
【００２７】
次に動作、作用について説明する。冷風吐出部１３と吹出口１とを連通する風路１４は、その一部が吹出口１および冷風吐出部１３より低い位置になるように形成されているため、吹出口１から侵入した水は風路１４の低い位置に溜まってとどまり、冷風吐出部１３や蒸発器２や送風機５に水が直撃することはなく、冷房装置の性能低下を防ぐことができる。また、水は冷風発生部１２まで侵入しないので、冷風発生部１２よりも内方にある電気部品や制御基板といった内装部品に水がかかることはなく、水による故障を防ぐこともできる。
【００２８】
なお、図７（ａ）に示すように、風路１４の最も低い位置に孔１７を設けることにより、風路１４に侵入した水が孔１７から落ちて排出されるため、水の溜まりすぎによる、内方への水の侵入を防ぐことができる。ここで、孔１７から落ちた水はロータンク７もしくは便器１１に流れ込ませて排出することが望ましく、そのために水を孔１７からチューブ（図示せず）を用いてロータンク７や便器１１に導いても良いし、内装部品の壁面を伝ってロータンク７や便器１１に導いても良い。特に便器１１に排出する場合は、ケース６のベースプレート（図示せず）に一旦流して、その後にベースプレートの水抜き孔から便器１１に排水すると簡素に構成することができる。この場合、孔１７の真下にベースプレートがあり、孔１７とベースプレートの間に障害物が無い構成であると、自然落下だけで水を排出することができる。
【００２９】
また、図７（ｂ）に示すように、風路１４に水排出手段１８を設けることにより、風路１４に侵入した水を排出し、水の溜まりすぎによる、内方への水の侵入を防ぐことができる。なお、水排水手段１８としてポンプを用いると、ロータンク７の開口部が風路１４より高い位置にあっても、ポンプの汲み上げ作用によって排出することができる。
【００３０】
ここで、実施例１〜５で説明してきたように、図２〜図７において、冷風発生部１２は送風機５を上流に蒸発器２を下流に配設して示し、送風機５が蒸発器２に対して空気を押し込む方法で冷風を発生させ、冷風吐出部１３が蒸発器２の吹出面であるように示したが、逆に、冷風発生部１２を蒸発器２を上流に送風機５を下流に配設し、蒸発器２に対して送風機５が空気を吸い込む方法で冷風を発生させ、冷風吐出部１３が送風機５の吹出口であるように構成しても同様に実施できる。また、送風機５は軸流ファンで構成すると、送風機５の吸込方向と吹出方向とを一直線上に配することができ、シロッコファンで構成すると、送風機５の吸込方向と吹出方向とを垂直に配することができ、クロスフローファンで構成すると、送風機５の吸込面と吹出面を大きく構成することができる。これらファンは、蒸発器２と送風機５、および冷風を吐出したい方向との位置関係に応じて選択すると良いし、風路１４や蒸発器２の通気抵抗が大きい場合は、圧力損失に強いシロッコファンを用いると、風量低下を防ぐことができる。
【００３１】
また、図２〜図７において、吹出口１は１ヶ所だけ設けたように図示しているが、図１に示すように２ヶ所設けると、便座に座った人に冷風を当てる場合、片側だけでなく両側から冷風が当たり、快適感が増す。また、吹出口１は３ヶ所以上設けてもよいし、ケース６の側面に設けても良い。なお、吹出口１を複数ヶ所設ける場合は、蒸発器２や送風機５を複数設けて、それぞれに風路１４を構成すると、送風機５の風量や運転・停止を制御することにより、複数ヶ所ある吹出口１から出る冷風を任意に調整することができる。また、蒸発器２および送風機５は１組だけ設けて風路１４を途中で分岐する構成とすると安価に製造することができる。
【００３２】
一方、風路１４としてはダクトとして形成しても良いが、ケース６と一体で成形すると安価に製造することができる。また、固定形状ではなく可撓性のある管で形成すると、風路１４に曲部を１ヶ所もしくは複数ヶ所設けたり、風路１４の一部を高い位置や低い位置にしたりと言った設計が容易になり、かつ、内部構造に変更があった場合へ対応するための風路１４の引き回し変更の自由度も増す。ここで可撓性のある管としては、ゴムチューブや樹脂チューブを用いても良いし、図８に示すような蛇腹チューブ１９やコルゲートチューブ２０を用いると、チューブを曲げたときの断面形状の変化を少なくできる上に、チューブ内面が軸方向に滑らかでなく、溝形状２１となっているため、侵入した水が流れることなく溝形状部に留まるので水侵入防止の効果が増す。また、冷風発生部１２や吹出口１の位置が固定されている場合は、冷風吐出部１３の近傍と、吹出口１の近傍を固定形状のダクトで構成し、その間を可撓性のある管で連通すると、設計が容易でかつ組立性も増す点で好ましい。この場合、固定形状のダクトと可撓性のある管とは同一の材質で構成しても良いし、別部材をつないでも良い。
【００３３】
なお、実施例１〜５において説明してきた、風路１４の構成および冷風吐出部１３や吹出口１との位置関係について、これらを複数組み合わせて実施すると、内方への水の侵入を防ぐ効果が増すことは言うまでもない。
【００３４】
一方、トイレ装置に暖房機能や暖房便座機能を備えると、冷房が必要な夏だけでなく、年中通して快適なトイレ空間を得ることができる。また、トイレ装置に局部洗浄機能や脱臭機能を備えると、温感快適性だけでなく、総合的な快適なトイレ空間を得ることができる。
【００３５】
【発明の効果】
以上のように、請求項１〜４に記載の冷房装置付きトイレ装置によると、冷風吐出部と吹出口とを結ぶ風路を、内部への水の浸入を防ぐ構造にしたため、吹出口より侵入した水が内装部品にまで到達せず、冷房装置の性能低下や故障を防ぐことができる。
【図面の簡単な説明】
【図１】  本発明の実施例１の冷房装置付きトイレ装置を示した一部透視の概略構成図
【図２】  本発明の実施例１の冷房装置付きトイレ装置の細部を示した概略図
【図３】  本発明の実施例２の冷房装置付きトイレ装置の細部を示した概略図
【図４】  本発明の実施例３の冷房装置付きトイレ装置の細部を示した概略図
【図５】  本発明の実施例４の冷房装置付きトイレ装置の細部を示した概略図
【図６】  本発明の実施例５の冷房装置付きトイレ装置の細部を示した概略図
【図７】  本発明の実施例５の冷房装置付きトイレ装置の風路部を示した概略図
【図８】  本発明の実施例で風路を構成する蛇腹チューブやコルゲートチューブの一部断面概略図
【図９】  従来の床置型エアコンの一部断面斜視図
【図１０】  従来のトイレ用冷房装置の断面図
【符号の説明】
１  吹出口
２  蒸発器
５  送風機
６  ケース
７  ロータンク
８  圧縮機
９  凝縮器
１２  冷風発生部
１３  冷風吐出部
１４  風路
１６  曲部
１７  孔
１８  水排出手段
【図１】
0003912122.tif 000002
【図２】
0003912122.tif 000003
【図３】
0003912122.tif 000004
【図４】
0003912122.tif 000005
【図５】
0003912122.tif 000006
【図６】
0003912122.tif 000007
【図７】
0003912122.tif 000008
【図８】
0003912122.tif 000009
【図９】
0003912122.tif 000010
【図１０】
0003912122.tif 000011